(57)【要約】      （修正有）【課題】ロールブラインドのブラインド幕を巻取り軸で巻取ったときの径を抑え、巻取り部の増大を抑えるロールブラインドシステムを提供する。【解決手段】第１の巻取り軸Ｂ１と、第２の巻取り軸Ｂ２と、少なくとも一方の巻取り軸を回転させる駆動手段と、第１の巻取り軸Ｂ１と第２の巻取り軸Ｂ２とを連動させる連結ベルトＤと、連結ベルトＤに固定されたシート・布状のロールブラインド幕Ａとを備える。ロールブラインド幕Ａは、連結ベルトＤ上に巻取られ、連結ベルトＤが巡回する経路に沿って巻取られる。連結ベルトＤがゴムにより構成されている。【選択図】図２
0003215018.tif 000002
【実用新案登録請求の範囲】
【請求項１】
第１の巻取り軸と、第２の巻取り軸と、少なくとも一方の巻取り軸を回転させる駆動手段と、前記第１の巻取り軸と前記第２の巻取り軸とを連動させる連結ベルトと、前記連結ベルトに固定されたシート・布状のロールブラインド幕とを備えることを特徴とするロールブラインドシステム。
【請求項２】
前記ロールブラインド幕は、前記連結ベルト上に巻取られることを特徴とする請求項１に記載のロールブラインドシステム。
【請求項３】
前記ロールブラインド幕は、前記連結ベルトが巡回する経路に沿って巻取られることを特徴とする請求項１に記載のロールブラインドシステム。
【請求項４】
前記連結ベルトがゴムにより構成されていることを特徴とする請求項１〜３のいずれかに記載のロールブラインドシステム。
【考案の詳細な説明】
【技術分野】
【０００１】  本考案は、会社、飲食店及び家庭の窓ガラス面に沿って上下に開閉するロールブラインドに関する。
【背景技術】
【０００２】  会社、飲食店及び家庭の窓ガラス面に沿って上下に開閉するロールブラインドが知られている。一般にこの窓に設けられた装置は、ロールブラインドと呼ばれている。この窓には、開閉式のロールブラインド（日除け）が配置され、日光が強い場合や眩しい場合に窓から光が室内に入射しないようにされている。開閉式のロールブラインドとしては、布状のものを窓のガラス面に沿ってスライドさせるスライド式のものが一般的である。しかしながら、スライド式のロールブラインドは、巻取り軸に巻取った時、軸の直径が大きくなり、スペースを多く取る問題がある。
【先行技術文献】
【特許文献】
【０００３】
【特許文献１】特開２００８−１８４８５７号公報
【特許文献２】特開２００８−７４２７６号公報
【考案の概要】
【考案が解決しようとする課題】
【０００４】  従来のロールブラインドは、ロールブラインド幕を巻取り軸に巻取った時、巻取り軸の直径が大きくなる。窓のロールブラインド幕が上下に長い程、巻取り軸の直径が大きくなり、スペースも多く取る。
【課題を解決するための手段】
【０００５】  本考案のロールブラインドシステムは、第１の巻取り軸と、第２の巻取り軸と、少なくとも一方の巻取り軸を回転させる駆動手段と、第１の巻取り軸と第２の巻取り軸とを連動させる連結ベルトと、この連結ベルトに固定されたシート状のブラインド幕を備えることを特徴とする。本考案によれば、連動する２つの巻取り軸に無限駆動状にブラインド幕が巻取られる。このため巻取られた状態におけるブラインドの重なりの厚みを小さくすることができる。すなわち本考案によれば、ブラインド幕は、連結ベルト上に巻取られる、あるいは連結ベルトが巡回する経路に沿って巻取られる。このため、巻取られたブラインド幕の巻取り経路は、単に一つの軸に巻取られる場合に比較して長くなる。そのため、巻取られた状態におけるブラインド幕が重なる枚数を一つの軸に巻取る場合に比較して少なくすることができ、巻取られた状態における全体の厚みを抑えることができる。そのため、スペースを確保が難しいブラインド幕の収納スペースに適した構成となる。【０００６】  本考案において、連結ベルトがゴムにより構成されていることが望ましい。この態様によれば、連結ベルトとブラインド幕との間に働く摩擦力が大きくなり、ブラインド幕の巻取りを確実に行なうことができる。【０００７】  本考案において、第１の巻取り軸および第２の巻取り軸の表面がゴムで構成されていることが望ましい。この態様によれば、巻取り軸と連結ベルトとの間に働く摩擦力、あるいは巻取り軸とブラインド幕との間に働く摩擦力が大きくなるので、連結ベルトの滑りが抑えられ、ブラインド幕の巻取りを確実に行なうことができる。
【考案の効果】
【０００８】  本考案によれば、２つの巻取り軸に無限軌道状にブラインド幕を巻取ることで、窓枠の上に設けられた巻取り式のロールブラインド構造において、巻取った際の厚みを小さくすることができる。これにより、特に窓枠の天地が大きい場合、ロールブラインド幕も長くなる。長くなったブラインド幕は、第１の巻取り軸と第２の巻取り軸を拡げる事で、長くなった分を吸収する事ができる。
【図面の簡単な説明】
【０００９】
【図１】  考案を利用したロールブラインドシステムの概要を示す図である。
【図２】  ブラインド幕が巻取られる部分の概要を示す断面図である。
【図３】  考案を利用したロールブラインドシステムの全体図と巻取り軸の断面図ＡＡである。
【図４】  一般のロールブラインドシステムの全体図と巻取り軸の断面図である。
【考案を実施するための形態】
【００１０】  図１は、ブラインド幕が引き出され展開された状態を示す図である。ブラインド幕Ａは、布地や樹脂製のシート、あるいはそれらを複合させた柔軟なシート状（幕状）の部材である。前記のブラインド幕を巻取り部ＡＡに巻取ることができる程度の柔軟性を有している。また、ブラインド幕を引き出す方向の巻取られない側の縁には、引き出し枠Ｅが固定されている。この引き出し枠Ｅは図示しない上下に開閉する手動式や電動式で展開することができる。
【００１１】  ブラインド幕Ａは、巻取り部ＡＡに巻取ることができる。図２は、巻取り部ＡＡの構造を示す断面図である。巻取り部ＡＡは、第１の巻取り軸Ｂ１と第２の巻取り軸Ｂ２とを備えている。各巻取り軸は、表面がゴムで被覆されており、両巻取り軸は、ゴム製で無限軌道形状（環状）の連結ベルトＤによって連結されており、連動して回転する構造とされている。第２の巻取り軸Ｂ１は、図示しない発条を用いた付勢手段により図の時計周り方向に付勢されている。
【００１２】  第１の巻取り軸Ｂ１と第２の巻取り軸Ｂ２との間隔は、ブラインド幕の長さに応じて設定することができる。両巻取り軸の間隔は、できるだけ広い方が好ましいが、その寸法は設置するブラインド幕の長さに応じて決めればよい。巻取り軸間の間隔が広い（大きい）方が、ブラインド幕の巻取り径を小さく、つまり巻取り部ＡＡの厚みを薄くすることができる。
【００１３】  連結ベルトＤには、ブラインド幕Ａの引き出し方向の縁部分Ｄ１が固定されている図２、ＡＡ１。第２の巻取り軸Ｂ１が図の時計周り方向に回転すると、連結ベルトＤが同様な右回り方向に巡回し、それに応じて第２の巻取り軸Ｂ２も右回り方向に回転する。この際、ブラインド幕Ａは、連結ベルトＤに引っ張られ、巡回する連結ベルト上に巻取られてゆく。換言すると、ブラインド幕Ａは、連結ベルトＤが巡回する経路に沿って巻取られてゆく。こうして、巻取り部ＡＡへのブラインド幕Ａの巻取りが行なわれる。
【産業上の利用可能性】
【００１４】  本考案は、会社、レストラン、飲食店、マンション、一軒家の窓枠に配置されるロールブラインドの開閉構造に利用することができる。
【符号の説明】
【００１５】  Ａ…ブラインド幕、Ｂ１…第１の巻取り軸、Ｂ２…第２の巻取り軸、ＡＡ…巻取り部、Ｅ…引き出し枠、Ｄ…誘導ベルト、Ｄ１…誘導ベルトとブラインド幕の結合部
【図１】
0003215018.tif 000003
【図２】
0003215018.tif 000004
【図３】
0003215018.tif 000005
【図４】
0003215018.tif 000006